(57)【要約】【課題】穿孔の発生をより防止できる新規な鋏型ナイフを提供する。【解決手段】嘴状に開閉することで組織を把持して切除する一対の刃部を備える。第１刃部１１０及び第２の刃部１２０にはバイポーラ電極が配設される。第１刃部１１０は、断面が等脚台形の四角柱である第１絶縁体１１２と第１電極１１１とを有する。第２刃部１２０は、断面が二等辺三角形の凹溝部を有する柱体である第２絶縁体１２２と、凹溝部１２３の底部に備えられた第２電極１２１とを有する。一対の刃部が閉状態の場合、第１電極１１１が第２電極１２１と離間した状態で凹溝部１２３に嵌め込まれ、電極同士の短絡を確実に防止できる。【選択図】図３
2019141286.tif 000002
【特許請求の範囲】
【請求項１】
嘴状に開閉することで組織を把持して切除する一対の刃部を備えてなり、第１刃部には高周波電源の一方の極に接続されたバイポーラ電極が配設され、第２刃部には高周波電源の他方の極に接続されたバイポーラ電極が配設されたバイポーラ鋏型ナイフであって、
第１刃部は、断面が等脚台形の四角柱である第１絶縁体と、該等脚台形の平行な２辺のうち短い辺を有する平面である短辺側平面に備えられた断面が等脚台形の四角柱である第１電極と、を有し、前記第１絶縁体の第１斜面と前記第１電極の第１斜面とは同一平面上にあり、且つ、前記第１絶縁体の第１斜面に対向する第２斜面と前記第１電極の第１斜面に対向する第２斜面とは同一平面上にあり、
第２刃部は、断面が二等辺三角形の凹溝部を有する柱体である第２絶縁体と、前記凹溝部の底部に備えられた断面が二等辺三角形の三角柱である第２電極と、を有し、前記凹溝部の第１斜面と前記第２電極の第１斜面とは同一平面上にあり、且つ、前記凹溝部の第１斜面に対向する第２斜面と前記第２電極の第１斜面に対向する第２斜面とは同一平面上にあり、
一対の刃部が開状態の場合は、前記第１刃部と前記第２刃部とは離間しており、一方、一対の刃部が閉状態の場合は、前記第１絶縁体の少なくとも一部が前記凹溝部に嵌め込まれると共に、前記第１電極が前記第２電極と離間した状態で前記凹溝部に嵌め込まれる、ことを特徴とするバイポーラ鋏型ナイフ。
【請求項２】
前記高周波電源の周波数は２００ｋＨｚ〜３ＭＨｚであり、前記第１電極と前記第２電極との間の電圧は５００Ｖ〜８００Ｖである、ことを特徴とする請求項１に記載のバイポーラ鋏型ナイフ。
【発明の詳細な説明】
【技術分野】
【０００１】
本発明は、高周波電流を利用して体内の組織を例えば内視鏡下で切開するバイポーラ型の鋏型ナイフに関する。
【背景技術】
【０００２】
早期消化管癌に対する内視鏡治療はその適用範囲が拡大され、例えば早期大腸癌治療等において内視鏡的粘膜切除術（ＥＳＤ）は大きなウェイトを占めるようになってきた。
【０００３】
ＥＳＤにおいては、電極が一個のいわゆるモノポーラ型の高周波ナイフが普通であり、もう一つの電極となる対極板が患者の体表面に接触配置される。例えば非特許文献１にはモノポーラ型の針型ナイフが記載されている。
【０００４】
しかし、モノポーラ型ナイフでは、電極と対極板との間の患者の身体を導電体として高周波電流が流れるため、高周波電流がナイフ周囲の切除したい組織以外にも通電し、出血・穿孔等の合併症が生じる可能性がある。中でも穿孔は緊急手術が必要となる重篤な合併症である。特に大腸ESDは、針型ナイフでは内視鏡を動かすことで切除をしていくため、高度なスキルが必要となり穿孔発生のリスクも高くなっていた。
【０００５】
そこでモノポーラ型の鋏型ナイフが提案されている。非特許文献２には、大腸腫瘍に対するＥＳＤを施行する際に、モノポーラ型の鋏型ナイフを使用した旨が記載されている。また特許文献１には、切開部分とその周囲の組織に対する焼灼の程度を安定させるモノポーラ型の鋏型ナイフが記載されている。このような鋏型ナイフは生検操作と同じ簡単な内視鏡操作で使用でき、組織をつかんでから引っ張って通電するため、筋層損傷なく穿孔の可能性を低減できる。しかし、依然として穿孔の可能性は残っており更なる安全性の高いナイフの開発の必要性がある。
【先行技術文献】
【特許文献】
【０００６】
【特許文献１】特開２００８−２７２３９３号公報
【非特許文献】
【０００７】
【非特許文献１】噴門部のESD，幽門輪のESD、松田充、日本消化器内視鏡学会雑誌、Vol.53(12),Dec.2011
【非特許文献２】SBナイフを併用した大腸ESD牽引法（３ch法）の試み、Progress of Digestive Endoscopy Vol.79 No.2(2011)
【発明の概要】
【発明が解決しようとする課題】
【０００８】
しかし、モノポーラ型の鋏型ナイフを用いたESDでも穿孔症例を経験することがあり、ＥＳＤの更なる安全性向上のため穿孔の発生をより防止できる新規な鋏型ナイフが求められる。
【０００９】
本発明はかかる問題点に鑑みてなされたものであって、更に穿孔の可能性を低減させる鋏型ナイフを提供することを目的とする。
【課題を解決するための手段】
【００１０】
本発明にかかる鋏型ナイフは、バイポーラ型の鋏型ナイフである。具体的には、嘴状に開閉することで組織を把持して切除する一対の刃部を備えてなり、第１刃部には高周波電源の一方の極に接続されたバイポーラ電極が配設され、第２刃部には高周波電源の他方の極に接続されたバイポーラ電極が配設されたバイポーラ鋏型ナイフであって、第１刃部は、断面が等脚台形の四角柱である第１絶縁体と、該等脚台形の平行な２辺のうち短い辺を有する平面である短辺側平面に備えられた断面が等脚台形の四角柱である第１電極とを有し、前記第１絶縁体の第１斜面と前記第１電極の第１斜面とは同一平面上にあり、且つ、前記第１絶縁体の第１斜面に対向する第２斜面と前記第１電極の第１斜面に対向する第２斜面とは同一平面上にあり、第２刃部は、断面が二等辺三角形の凹溝部を有する柱体である第２絶縁体と、前記凹溝部の底部に備えられた断面が二等辺三角形の三角柱である第２電極とを有し、前記凹溝部の第１斜面と前記第２電極の第１斜面とは同一平面上にあり、且つ、前記凹溝部の第１斜面に対向する第２斜面と前記第２電極の第１斜面に対向する第２斜面とは同一平面上にあり、一対の刃部が開状態の場合は、前記第１刃部と前記第２刃部とは離間しており、一方、一対の刃部が閉状態の場合は、前記第１絶縁体の少なくとも一部が前記凹溝部に嵌め込まれると共に、前記第１電極が前記第２電極と離間した状態で前記凹溝部に嵌め込まれる。
【発明の効果】
【００１１】
本発明によれば、穿孔の可能性をより抑制できるＥＳＤ等に使用される鋏型ナイフが得られる。
【図面の簡単な説明】
【００１２】
【図１】ＥＳＤに使用される本実施形態にかかるバイポーラ鋏型ナイフを説明する図である。
【図２】本実施形態にかかるバイポーラ鋏型ナイフを側面方向から説明する図である。
【図３】本実施形態にかかるバイポーラ鋏型ナイフの外観を説明する図である。
【図４】本実施形態にかかるバイポーラ鋏型ナイフの使用態様を説明する図であり、そのうち(A)は開状態であり、(B)閉状態である。
【発明を実施するための形態】
【００１３】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１４】
図１は、例えばＥＳＤに使用されるバイポーラ鋏型ナイフ９００であり、可撓性シース８００は内視鏡の止血鉗子挿通チャンネルに挿脱される。可撓性シース８００は例えば四フッ化エチレン樹脂チューブの電気絶縁性のチューブによって形成され、直径が例えば２〜３ｍｍで長さが例えば１〜２ｍである。
【００１５】
可撓性シース８００の先端には、電気絶縁性の硬質プラスチックからなる支持本体８１０が連結固着されており、支持本体８１０には一定の幅のスリット８２０が長手方向に形成されている。
【００１６】
図２に示されるように、本実施形態にかかるバイポーラ鋏型ナイフ９００は、嘴状に開閉することで組織を把持して切除する一対の刃部である第１刃部１１０と第２刃部１２０とを備える。
【００１７】
図３に示されるように、第１刃部１１０は、断面が等脚台形の四角柱である第１絶縁体１１２と、該等脚台形の平行な２辺のうち短い辺を有する平面である短辺側平面に備えられた断面が等脚台形の四角柱である第１電極１１１とを有する。第１電極１１１は高周波電源の一方の極に接続されたバイポーラ電極である。第１絶縁体１１２の第１斜面と第１電極１１１の第１斜面とは同一平面上にあり、且つ、第１絶縁体１１２の第１斜面に対向する第２斜面と第１電極１１１の第１斜面に対向する第２斜面とは同一平面上にある。
【００１８】
第２刃部１２０は、断面が二等辺三角形の凹溝部１２３を有する柱体である第２絶縁体１２２と、凹溝部１２３の底部に備えられた断面が二等辺三角形の三角柱である第２電極１２１と、を有する。第２電極１２１は高周波電源の他方の極に接続されたバイポーラ電極である。凹溝部１２３の第１斜面と第２電極１２１の第１斜面とは同一平面上にあり、且つ、凹溝部１２３の第１斜面に対向する第２斜面と第２電極１２１の第１斜面に対向する第２斜面とは同一平面上にある。
【００１９】
高周波電源の周波数は、特に限定されるものではないが例えば２００ｋＨｚ〜３ＭＨｚであり、また例えば８００ｋＨｚ〜１ＭＨｚである。第１電極１１１と第２電極１２１との間の電圧は、特に限定されるものではないが例えば５００Ｖ〜８００Ｖであり、また例えば６００Ｖ〜７００Ｖである。
【００２０】
支持本体８１０の先端近傍には、一対の軸孔８３０が、スリット８２０の向きに対して直交する向きに、支持本体８１０の中心軸線を挟んでその両側に離れた位置に平行に形成されて、各軸孔８３０にステンレス製の支軸８４０が挿通されている。
【００２１】
第１刃部１１０及び第２刃部１２０は、嘴状に開閉自在に二つの支軸８４０によって互いに独立して支持本体８１０に支持されている。
【００２２】
図２にもどり、回転支持孔１９０は、支軸８４０が回転自在に嵌合するように第１刃部１１０及び第２刃部１２０に形成された孔である。第１刃部１１０及び第２刃部１２０の後方部分は、回転支持孔１９０より後方に駆動腕部１８０が一体に延出形成されており、その突出端近傍に形成された通孔１７０に、二本の導電線７００の先端が通されて連結されている。導電線７００のうち一方は第１電極１１１に接続されており、他方は第２電極１２１に接続されている。
【００２３】
支持本体８１０の先端部には、第１刃部１１０と第２刃部１２０との間に位置するスペーサ６００が配置されている。スペーサ６００は支持本体８１０と一体に一部品で形成される。スペーサ６００には２本の支軸８４０が個別に通される軸孔８３０が平行にスリット８２０に対して垂直の向きに貫通形成されている。
【００２４】
次に本実施形態にかかるバイポーラ鋏型ナイフの使用態様について説明する。
【００２５】
図４(A)に示されるように、第１刃部１１０と第２刃部１２０とが開状態の場合は、第１刃部１１０と第２刃部１２０とは離間している。一方、図４(B)に示されるように、一対の刃部が閉状態の場合は、第１絶縁体１１２の少なくとも一部は凹溝部１２３に嵌め込まれると共に、第１電極１１１が第２電極１２１と離間した状態で凹溝部１２３に嵌め込まれる。
【００２６】
このように本実施形態にかかるバイポーラ鋏型ナイフによれば、一対の刃部の間に高周波電流を流す際に周囲を焼灼する虞を低減させることが可能であり、更に、一対の刃部が閉状態の場合、第１絶縁体１１２の少なくとも一部が凹溝部１２３に嵌め込まれてそれ以上閉じることができなくなるので、第１電極１１１と第２電極１２１との離間状態を安定的に保つことができ、電極同士の短絡を的確に防止することが可能となる。
【産業上の利用可能性】
【００２７】
内視鏡的粘膜切除術に利用できる。
【符号の説明】
【００２８】
１１０：第１刃部
１１１：第１電極
１１２：第１絶縁体
１２０：第２刃部
１２１：第２電極
１２２：第２絶縁体
１２３：凹溝部
１７０：通孔
１８０：駆動腕部
１９０：回転支持孔
６００：スペーサ
７００：導電線
８００：可能性シース
８１０：支持本体
８２０：スリット
８３０：軸孔
８４０：支軸
９００：バイポーラ鋏型ナイフ
【図１】
2019141286.tif 000003
【図２】
2019141286.tif 000004
【図３】
2019141286.tif 000005
【図４】
2019141286.tif 000006